(57)【要約】【課題】充電池が過放電状態となるのを効果的に抑制でき、これにより、アラーム機能を適正に発揮させ得る投写型映像表示装置を提供する。【解決手段】投写型映像表示装置は、外部電源からの電力を供給する電源ユニット３０と、電源ユニット３０によって充電池４２を充電する充電回路４１と、アラーム音を出力するためのアラーム基板４５と、アラーム基板４５を制御するアラームマイコン４６と、電源ユニット３０からの電力と充電池４２からの電力の何れか一方をアラーム基板４５とアラームマイコン４６に供給する切替回路４４と、充電池４２からの電圧が閾値未満になったときに切替回路４４に対する給電を遮断する遮断回路４３とを備える。充電池４２からの電圧が閾値未満になると、アラーム基板４５とアラームマイコン４６に対する給電が遮断される。よって、充電池の電力が無駄に消費されるのを抑制することができる。【選択図】図７
2010055394.tif 000002
【特許請求の範囲】
【請求項１】
外部電源からの電力を供給する電力供給手段と、
前記電力供給手段によって充電池を充電する充電手段と、
アラーム音を出力するためのアラーム手段と、
前記電力供給手段からの電力と前記充電池からの電力の何れか一方を前記アラーム手段に供給する切替手段と、
前記充電池の充電量が閾値未満になったときに前記アラーム手段に対する給電を遮断する遮断手段と、
を有することを特徴とする投写型映像表示装置。
【請求項２】
請求項１に記載の投写型映像表示装置において、
前記遮断手段は、前記充電池と前記切替手段の間に配置されている、
ことを特徴とする投写型映像表示装置。
【請求項３】
請求項１または２に記載の投写型映像表示装置において、
前記閾値は、前記アラーム手段が正常に動作可能な電圧範囲の下限値に設定されている、
ことを特徴とする投写型映像表示装置。
【請求項４】
請求項１または２に記載の投写型映像表示装置において、
前記閾値は、前記充電池の放電を停止すべきとして予め設定された電圧値に設定されている、
ことを特徴とする投写型映像表示装置。
【発明の詳細な説明】
【技術分野】
【０００１】
本発明は、液晶パネル等の光変調素子によって変調された光を被投写面上に拡大投写する投写型映像表示装置に関する。
【背景技術】
【０００２】
現在、液晶パネル等に描画された画像を被投写面（スクリーン等）上に拡大投写する投写型映像表示装置（以下、「プロジェクタ」という）が商品化され広く普及している。この種のプロジェクタは、持ち運び可能であり、かつ、比較的高価なことから、何らかの盗難防止策を講じる必要がある。
【０００３】
かかる盗難防止策として、パスワードの設定やＰＣカード等を使用することによってプロジェクタ自体に盗難防止機能を持たせる方法と、プロジェクタに対して盗難防止装置を取り付ける方法とがある。このうち、後者の方法として、たとえば、プロジェクタに振動センサを設置してプロジェクタが運搬状態にあるかを検知し、この検知結果に応じてアラーム装置を作動させる構成を用いることができる（たとえば、特許文献１）。
【０００４】
この構成では、プロジェクタに２次電池（充電池）が内蔵されており、プロジェクタがＡＣ電源（外部電源）に接続されていない場合には、充電池からアラーム装置に電力が供給される。盗難発生時には、充電池からアラーム装置に電力が供給されてアラーム音が出力される。これにより、盗難の発生が報知される。
【特許文献１】特開平２００８−９７３５２号公報
【発明の開示】
【発明が解決しようとする課題】
【０００５】
しかしながら、上記の構成では、プロジェクタがＡＣ電源（外部電源）に接続されていない状態が長く続くと、充電池の電力が、待機状態にあるアラーム装置によって消費され、充電池が過放電状態となる惧れがある。他方、アラーム装置には、正常に作動するに必要な電圧の範囲があり、この範囲よりも低いレベルの電圧が供給されても適正に作動しない。したがって、充電池から供給される電圧がこの範囲の下限値を下回った後でもさらにアラーム装置に電力が供給されると、充電池の電力がアラーム装置によって無駄に消費される結果となる。
【０００６】
かかる無駄な消費によって充電池が過放電状態になってしまうと、充電池が劣化し、最悪の場合、充電池に充電を行えない状態（充電不可状態）となってしまう。こうなると、もはやアラーム装置を作動できなくなり、いざ盗難が発生したときに、アラーム音が報知されなくなってしまう。
【０００７】
本発明は、かかる問題を解消するためになされたものであり、充電池が過放電状態となるのを効果的に抑制でき、これにより、アラーム機能を適正に発揮させ得る投写型映像表示装置を提供することを目的とする。
【課題を解決するための手段】
【０００８】
上記課題に鑑み本発明の投写型映像表示装置は、外部電源からの電力を供給する電力供給手段と、前記電力供給手段によって充電池を充電する充電手段と、アラーム音を出力するためのアラーム手段と、前記電力供給手段からの電力と前記充電池からの電力の何れか一方を前記アラーム手段に供給する切替手段と、前記充電池の充電量が閾値未満になったときに前記アラーム手段に対する給電を遮断する遮断手段とを備える。
【０００９】
本発明に係る投写型映像表示装置によれば、充電池の充電量が閾値未満になると、アラーム手段に対する給電が遮断される。よって、アラーム手段によって充電池の電力が無駄に消費されるのを抑制でき、充電池の過放電状態を効果的に抑制することができる。
【００１０】
本発明に係る投写型映像表示装置において、前記遮断手段は、前記充電池と前記切替手段の間に配置することができる。こうすると、アラーム手段以外の周辺回路による放電を抑制することができ、充電池の無駄な放電をより効果的に抑制することができる。
【００１１】
また、本発明に係る投写型映像表示装置において、前記閾値は、前記アラーム手段が正常に動作可能な電圧範囲の下限値に設定することができる。こうすると、アラーム手段による充電池の無駄な放電を最も適切に抑制することができる。
【００１２】
この他、前記閾値は、前記充電池の放電を停止すべきとして予め設定された電圧値に設定することができる。こうすると、充電池が過放電状態となる前に、充電池の放電を中止させることができる。
【発明の効果】
【００１３】
以上のとおり本発明によれば、充電池が過放電状態となるのを効果的に抑制でき、これにより、アラーム機能を適正に発揮させ得る投写型映像表示装置を提供することができる、
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものによって何ら制限されるものではない。
【発明を実施するための最良の形態】
【００１４】
以下、図面を参照して、実施の形態に係るプロジェクタの構成を説明する。
【００１５】
図１は、プロジェクタの概観を示す斜視図である。
【００１６】
プロジェクタの外部キャビネット１は、第１キャビネット１ａと、第１キャビネット１から側方に飛び出した第２キャビネット１ｂからなっている。第１キャビネット１ａの前面側には、映像信号によって変調された光を投写するための窓２が配されており、窓２の近傍から、リモコン受信部９０が外部に臨んでいる。また、第１キャビネット１ａの右側面からは、ＡＶ端子部５０の各端子およびＡＣインレット６０が外部に臨んでおり、さらに、投写画像のフォーカス調整を行うためのツマミ２２が、Ｚ軸方向に変位可能に配されている。
【００１７】
なお、ＡＶ端子部５０には、アラーム操作入力用の操作ボタン部５１が含まれている。また、第２キャビネット１ｂからは、バッテリ残量の低下を報知するためのＬＥＤ４５１（後述）が外部に臨んでいる。
【００１８】
プロジェクタを床等の載置面に載置する場合には、アダプタが用いられる。
【００１９】
図２は、アダプタの構成および装着方法を説明する図である。同図（ａ）は、アダプタとしてスタンド３を用いる場合を示し、同図（ｂ）は、アダプタとしてアーム部材４を用いる場合を示す。
【００２０】
図２（ａ）を参照して、スタンド３は、第１キャビネット１ａと第２キャビネット１ｂの底面に装着される。すなわち、第１キャビネット１ａと第２キャビネット１ｂの底面をスタンド３の上面に載せた状態で、ネジ４によってスタンド３を第１キャビネット１ａにネジ止めする。
【００２１】
図３（ａ）、（ｂ）は、それぞれ、スタンド３を装着したときのプロジェクタの使用状態を示す右側面図および裏面図である。この場合、映像信号によって変調された光は、プロジェクタが載置される面（載置面）に投写される。
【００２２】
図２（ｂ）を参照して、アーム部材５は、第１キャビネット１ａと第２キャビネット１ｂの裏面に装着される。すなわち、第１キャビネット１ａと第２キャビネット１ｂの裏面に配されたネジ孔にアーム部材５の孔を合わせた状態で、ネジ６によってアーム部材５を第１キャビネット１ａにネジ止めする。
【００２３】
図４は、アーム部材５を装着したときのプロジェクタの使用状態を示す右側面図である。この場合、映像信号によって変調された光は、プロジェクタが載置される面（載置面）とは異なる面（壁やスクリーン等）に投写される。なお、アーム部材５に配された調節ネジ５ａを回すことにより、光の投写方向を微調節することができ、被投写面に対する画像の投写状態を調節することができる。
【００２４】
図５および図６は、外部キャビネット１を省略した状態のプロジェクタの構成を示す外観斜視図および上面図である。なお、図６には、メイン基板４０が取り外された状態が示されている。
【００２５】
図６および図７を参照して、プロジェクタは、光学エンジン１０と、投写光学系２０と、電源ユニット３０と、メイン基板４０と、ＡＶ端子部５０と、ＡＣインレット６０を備えている。なお、８０ａは前面側キャビネットからのボス、８０ｂは裏面側キャビネットからのボス、８０ｃは振動吸収用のブッシュである。
【００２６】
投写光学系２０は、鍔部がブッシュ８０ｃを介してボス８０ａ、８０ｂ間に挟持されることによりキャビネット内に装着される。このように、投写光学系２０は、振動吸収用のブッシュ８０ｃを介して挟持されているため、外部キャビネット１からの衝撃が投写光学系２０に伝わり難くなっている。また、投写光学系２０は、振動吸収用のブッシュ８０ｃを介して前面側キャビネットからのボス８０ａおよび裏面側キャビネットからのボス８０ｂにより支持されているため、支持強度が向上している。
【００２７】
投写光学系２０の投写レンズ部分からは、図６に示す如く、フォーカス調整用のレバー２１が突出されている。このレバー２１をＸ−Ｚ平面の面内方向に回動させることにより投写画像のフォーカスが調節される。フォーカスレバー２１の先端に上記フォーカス調整用のツマミ２２が装着され、このツマミ２２が、第１キャビネット１ａの右側面から外部に臨んでいる（図４参照）。
【００２８】
光学エンジン１０は、光源１０１からの白色光を青色波長帯、緑色波長帯および赤色波長帯の光に分離するとともに各波長帯の光を表示素子（液晶パネル）で変調し、さらに、変調後の各波長帯の光をダイクロイックプリズムで色合成し、合成後の光を投写光学系２０に出射する。図７に示すように、光源１０１は、Ｘ軸方向に光を照射するよう配置され、投写光学系２０は光軸がＹ軸方向となるよう配置されている。
【００２９】
電源ユニット３０は、光源１０１およびメイン基板４０に電源を供給する。電源ユニット３０には、ＡＣインレット６０を介してＡＣ電圧が入力される。メイン基板４０は、プロジェクタを駆動および制御するための回路である。図５に示す如く、メイン基板４０を保持する回路基板は、光学エンジン１０の一部を覆うようにして配置されている。また、メイン基板４０には、ＡＶ端子部５０を介してＡＶ（Audio Visual）信号が入力される。また、ＡＶ端子部５０には、上記の如く、アラーム操作入力用の操作ボタン部５１が含まれている。
【００３０】
なお、本実施の形態では、メイン基板４０にアラーム回路が配されている。アラーム回路およびその周辺回路の詳細については、追って、図７ないし図９を参照して説明する。
【００３１】
光学エンジン１０の裏面側には３つの吸気ファン７１が配されている。これら吸気ファン７１によって吸気されたエアーは、光学エンジン１０の左側面側に配された排気ファン７２および背面側に配された排気ファン７２によって排気される。このように吸気ファン７１と排気ファン７２を配置することにより、吸気ファン７１によって吸気されたエアーは、光学エンジン１０の光学系、光源１０１および電源ユニット３０を通過するよう流れる。また、吸気されたエアーは、ダクト７３を介して光源１０１の側面に導かれ、光源１０１の側面から排気ファン７２に向かって流れる。かかるエアーの流れによって、これら部材に発生する熱が取り除かれる。
【００３２】
次に、図７を参照して、上記メイン基板４０に配されたアラーム回路とその周辺回路の構成について説明する。なお、同図には、便宜上、電源ユニット３０が併せて図示されている。電源ユニット３０は、ＡＣインレット６０を介して入力されたＡＣ電圧を整流して直流電圧を生成し、生成した直流電圧を充電回路４１、切替回路４３およびシステムコントローラ４７に供給する。
【００３３】
充電回路４１は、電源ユニット３０から供給された直流電圧を用いて充電池４２を充電する。充電池４２は、ニッケル水素電池であり、充電した直流電圧を遮断回路４３に供給する。遮断回路４３は、リセットＩＣを備え、充電値４２から供給される直流電圧が閾値Ｖｓ１を下回っている場合に、切替回路４４に対する充電池４２の直流電圧の供給を遮断する。
【００３４】
なお、閾値Ｖｓ１は、たとえば、アラーム基板４５上の各回路とアラームマイコン４６が正常に動作可能な電圧範囲の下限値に設定される。この他、充電池４２における推奨電圧値（その電圧以下では放電を停止すべきとされる電圧値）を閾値Ｖｓ１としても良く、あるいは、上記下限値と推奨電圧値の両方を考慮して閾値Ｖｓ１を設定しても良い。
【００３５】
図８（ａ）は、遮断回路４３の構成を示す図である。
【００３６】
充電池４２からの直流電圧は抵抗４３ａを介してリセットＩＣ４３ｂに入力される。リセットＩＣ４３ｂは、充電池４２から供給された直流電圧が閾値Ｖｓ１以上であるときに、１番端子からの出力信号をハイレベルに立ち上げる。この信号は抵抗４３ｃを介してトランジスタ４３ｄのベースに供給され、これによりトランジスタ４３ｄがＯＮされる。こうしてトランジスタ４３ｄがＯＮされると、充電池４２から抵抗４３ｆ、４３ｄおよびトランジスタ４３ｄを介して電流が流れ、ＦＥＴ４３ｇのソースとゲートの間に電位差が生じる。これにより、ＦＥＴ４３ｇがＯＮされ、充電池４２からの直流電圧が切替回路４４に供給される。
【００３７】
一方、充電池４２から供給された直流電圧が閾値Ｖｓ１未満の場合、リセットＩＣ４３ｂは、１番端子からの出力信号をローレベルに立ち下げる。これによりトランジスタ４３ｄがＯＦＦされ、充電池４２から抵抗４３ｆ、４３ｅおよびトランジスタ４３ｄを介して電流が流れなくなる。この場合、ＦＥＴ４３ｇのソースとゲートの間には電位差が生じず、このためＦＥＴ４３ｇがＯＦＦされる。こうして、充電池４２からの直流電圧が切替回路４４に供給されなくなる。
【００３８】
図７に戻り、切替回路４３は、電源ユニット３０から供給される直流電圧と、遮断回路４３を介して充電池４２から供給される直流電圧の何れか一方を、アラーム基板４５とアラームマイコン４６に供給する。
【００３９】
図８（ｂ）は、切替回路４４の構成を示す図である。
【００４０】
電源ユニット３０からの直流電圧は、抵抗４４ａを介してダイオード４４ｂおよびコンデンサ４４ｃと、ダイオード４４ｃに供給される。このとき、同時に、抵抗４４ｅ〜４４ｆを介して、電源ユニット３０からの直流電圧がＦＥＴ４４ｈのゲートに印加され、これにより、ＦＥＴ４４ｈがＯＦＦとされる。なお、ＦＥＴ４４ｈには、ゲートにハイレベルの信号が印加されるとＯＦＦ状態となるＦＥＴが用いられている。
【００４１】
このようにＦＥＴ４４ｈがＯＦＦされると、遮断回路４３からの直流電圧、すなわち、充電池４２からの直流電圧がＦＥＴ４４ｈによって遮断される。よって、この場合には、電源ユニット３０からダイオード４４ｂ、４４ｄを介して印加される直流電圧が、アラーム基板４５とアラームマイコン４６に供給される直流電圧（Ｖｃｃ、Ｖｃ）とされる。
【００４２】
一方、ＡＣインレット６０に対するコンセント（外部電源）の接続が外され、電源ユニット３０から切替回路４４に直流電圧が印加されなくなると、ＦＥＴ４４ｈのゲートがグランドに接続されて、ＦＥＴ４４ｈがＯＮ状態に切り替わる。これにより、遮断回路４３からの直流電圧、すなわち、充電池４２からの直流電圧がＦＥＴ４４ｈを導通し、抵抗４４ｉ、４４ｋを介してダイオード４４ｊ、４４Ｌに印加される。よって、この場合には、遮断回路４３から供給される直流電圧、すなわち、充電池４２からの直流電圧が、アラーム基板４５とアラームマイコン４６に供給される直流電圧（Ｖｃｃ、Ｖｃ）とされる。
【００４３】
このように、切替回路４４は、電源ユニット３０から直流電圧が供給されている場合にはこの直流電圧を、また、電源ユニット３０から直流電圧が供給されていない場合には遮断回路４３を介して充電池４２から供給される直流電圧を、アラーム基板４５とアラームマイコン４６に供給する。
【００４４】
図７に戻り、アラーム基板４５は、ＬＥＤ（Light Emitting Device）４５１と、ブザー４５２と、ブザー回路４５３と、振動センサ４５４を備える。このうち、ブザー回路４５３は、アラームマイコン４６からの制御信号に従って、ＬＥＤ４５１とブザー４５２を駆動する。振動センサ４５４は、検出結果（振動信号）をアラームマイコン４６に出力する。
【００４５】
アラームマイコン４６は、振動センサ４５４から入力された振動信号と切替回路４４から供給された直流電圧を参照してブザー回路４５３を駆動制御する。なお、アラームマイコン４６における制御処理については、追って、図９を参照して説明する。
【００４６】
システムコントローラ４７は、アラームマイコン４６に対して、アラーム（ブザー）の音量、振動の検出感度、アラーム出力の継続時間等に関するパラメータ値をアラームマイコン４６に供給する。これらのパラメータ値は、ユーザメニュー中のアラーム設定項目をユーザが選択することによって適宜変更される。また、システムコントローラ４７は、電源ユニット３０から電源供給があるか、すなわち、ＡＣインレット６０がコンセント（外部電源）に接続されているかを示す信号（以下、「ＡＣ表示信号」という）をアラームマイコン４６に供給する。アラームマイコン４６は、システムコントローラ４７から供給されたパラメータ値とＡＣ表示信号をもとに、ブザー回路４５３を駆動制御する。
【００４７】
次に、図９を参照して、アラームマイコン４６における制御処理について説明する。なお、同図に示す処理フローは、操作ボタン部５１を介してユーザからアラームモードがセットされたときに実行される。
【００４８】
アラームマイコン４６は、システムコントローラ３０から供給されるＡＣ表示信号をもとに電源ユニット３０から直流電圧が供給されているかを判別する（Ｓ１０１）。ここで、電源ユニット３０から直流電圧が供給されていなければ（Ｓ１０１：ＹＥＳ）、
現在供給されている直流電圧が充電池４２からのものであるとして、次に、振動センサ４５４にて検出された振動度Ａｄが閾値Ａｓを上回ったかを判定する（Ｓ１０２）。
【００４９】
Ｓ１０２の判別においてＡｄ＞Ａｓでなければ（Ｓ１０２：ＮＯ）、アラームマイコン４６は、切替回路４４から供給された充電池４２からの直流電圧Ｖｉが閾値Ｖｓ２（Ｖｓ２＞Ｖｓ１）を下回ったかを判定する（Ｓ１０３）。ここで、Ｖｉ＜Ｖｓ２であれば（Ｓ１０３：ＹＥＳ）、切替回路４４を介して供給された充電池４２からの直流電圧Ｖｉが低下したとして、ブザー回路４５３に対し、ＬＥＤ４５１とブザー４５２を一定間隔で駆動させるための制御信号を出力する（Ｓ１０４）。これにより、ＬＤＥ４５１が一定間隔で点灯するとともに、アラーム音が一定間隔で出力される。かかる報知出力により、ユーザは、充電池４２の充電残量が低下していることを知ることができる。
【００５０】
こうしてＬＥＤ４５１の点灯とアラーム音の出力がなされている間に、ＡＣインレット６０がコンセントに接続され、電源ユニット３０から直流電圧が供給され始めると、その旨を表示するＡＣ表示信号がシステムコントローラ４７からアラームマイコン４６に供給される。かかる表示信号を受けて（Ｓ１０１：ＮＯ）、アラームマイコン４６は、ブザー回路４５３に対して、ＬＥＤ４５１とブザー４５２の駆動を中止させる（Ｓ１０５）。
【００５１】
一方、アラームマイコン４６は、Ｓ１０２における判別がＡｄ＞Ａｓであれば（Ｓ１０２：ＹＥＳ）、プロジェクタ本体が移動された（大きく振動した）として、ブザー回路４５３に対し、ブザー４５２を駆動させるための制御信号を出力する（Ｓ１０６）。これにより、プロジェクタからアラーム音が出力される。
【００５２】
なお、プロジェクタの移動を検出する際の検出感度は、閾値Ａｓによって決まる。ここで、閾値Ａｓは、上記システムコントローラ４７から供給されるパラメータ値のうち、振動の検出感度の設定値に基づいて設定される。また、Ｓ１０６におけるアラーム音の音量と出力継続時間も、上記システムコントローラ４７から供給されるパラメータの設定値に基づいて設定される。
【００５３】
Ｓ１０６においてブザー４５２が一旦駆動されると、アラームマイコン４６は、システムコントローラ４７からセットされた出力継続時間が経過するか（Ｓ１０９：ＹＥＳ）、ＡＣインレット６０がコンセントに接続されたことを示すＡＣ表示信号をシステムコントローラ４７から受信する（Ｓ１１０：ＹＥＳ）まで、アラーム音を出力させ続ける。なお、アラームマイコン４６は、かかるアラーム出力の際にも、充電池４２からの直流電圧Ｖｉが閾値Ｖｓ２を下回ったかを随時モニタし（Ｓ１０７）、直流電圧Ｖｉが閾値Ｖｓ２を下回ったことに応じて（Ｓ１０７：ＹＥＳ）、ＬＥＤ４５１を一定間隔で点灯させる（Ｓ１０８）。
【００５４】
こうして、アラーム出力がなされた後に、アラームの出力継続時間が経過し（Ｓ１０９：ＹＥＳ）またはＡＣインレット６０がコンセントに接続されると（Ｓ１１０：ＹＥＳ）、アラームマイコン４６は、アラーム音の出力を中止させる（Ｓ１１１）。ＡＣインレット６０がコンセントに接続されることによってアラーム出力が中止された場合（Ｓ１１０：ＹＥＳ→Ｓ１１１）には、その後、ＡＣインレット６０がコンセントから外されるまで（Ｓ１０１：ＹＥＳ）、ＬＥＤ４５１とブザー４５２に駆動が中止される（Ｓ１０５）。一方、アラーム出力の継続時間が経過することによってアラーム出力が中止された場合（Ｓ１０９：ＹＥＳ→Ｓ１１１）には、その後、ＡＣインレット６０がコンセントに接続されるまで（Ｓ１０１：ＮＯ）、Ｓ１０２以降の処理が実行され、上記のように、適宜、ＬＥＤ４５１とブザー４５２の駆動が行われる。
【００５５】
なお、図９の処理フローでは、アラーム出力継続時間の経過状態（Ｓ１０９）とＡＣインレット６０の接続状態によってアラーム出力を解除するようにしたが、この他、パスワードの入力によってアラームの出力を解除するようにしても良い。この場合、パスワードは、たとえば、本体キャビネットに配されたアラーム操作入力用の操作ボタン部５１から入力される。
【００５６】
また、アラームの出力は、上記のように継続時間を設定せずに、ＡＣインレット６０がコンセントに接続されるまで継続させても良い。この場合、ＡＣインレット６０がコンセントに接続されなければ、図１０の動作フローに従って充電池４２の電力供給が遮断されるまでアラーム出力が継続される。
【００５７】
さらに、充電池４２が取り外され、あるいは、取り外されつつある状態では、ＡＣインレット６０がコンセントに接続されて電源ユニット３０から直流電圧が供給されている状態においても、アラーム音を出力させ、アラーム出力を解除できないようにしても良い。この場合、たとえば、充電池４２の有無をセンサにより検出し、その検出信号がシステムコントローラ４２に入力される。システムコントローラ４２は、この検出信号をもとに充電池が取り外されたと判定すると、これを表示する信号をアラームマイコン４６に供給する。この信号を受けて、アラームマイコン４６は、ブザー回路４５３にブザー４５２を駆動させ、電源ユニット３０から直流電圧の電力供給があることを示すＡＣ表示信号がシステムコントローラ４６から入力されても、ブザー４５２の駆動を継続させる。
【００５８】
次に、図１０を参照して、アラーム基板４５とアラームマイコン４６に対する直流電圧の供給動作について説明する。
【００５９】
ＡＣインレット６０がコンセントに接続され、電源ユニット３０から直流電圧が供給されている場合（Ｓ２０１：ＮＯ）、切替回路４４は、電源ユニット３０から入力された直流電圧をアラーム基板４５とアラームマイコン４６に供給する（Ｓ２０２）。他方、電源ユニット３０から直流電圧が入力されていなければ（Ｓ２０１：ＹＥＳ）、電源ユニット３０から入力された直流電圧に替えて、遮断回路４３を介して充電池４２から供給された直流電圧をアラーム基板４５とアラームマイコン４６に供給する（Ｓ２０３）。
【００６０】
充電池４２からの直流電圧がアラーム基板４５とアラームマイコン４６に供給されている際に、充電池４２からの直流電圧Ｖｂが閾値Ｖｓ１（Ｖｓ１＜Ｖｓ２）を下回ると（Ｓ２０４:ＹＥＳ）、切替回路４４に対する充電値４２からの直流電圧の供給が、遮断回路４３によって遮断される（Ｓ２０５）。これにより、その後は、アラーム基板４５とアラームマイコン４６による充電池４２の電力消費が回避される。よって、充電池４２が過放電状態となる事態が回避され、充電池４２の劣化および充電能力の低下が阻止される。
【００６１】
しかる後、ＡＣインレット６０がコンセントに接続され、電源ユニット３０からの電力供給が再開されると（Ｓ２０１：ＮＯ）、切替回路４４は、電源ユニット３０から入力された直流電圧をアラーム基板４５とアラームマイコン４６に供給する（Ｓ２０２）。その後、充電池４２に対する充電が進み、充電池４２からの直流電圧Ｖｂが閾値Ｖｓ１以上になると（Ｓ２０４:ＮＯ）、再び、充電池４２からの直流電圧Ｖｂが遮断回路４３を介して切替回路４４に供給され始める。よって、その後、電源ユニット３０からの電力供給がなくなっても（Ｓ２０１：ＹＥＳ）、充電池４２からの直流電圧Ｖｂがアラーム基板４５とアラームマイコン４６に供給されるようになる（Ｓ２０４：ＮＯ）。
【００６２】
以上、本実施の形態によれば、充電池４２からアラーム基板４５とアラームマイコン４６に電力供給がなされている際に、充電池４２からの直流電圧Ｖｂが閾値Ｖｓ１を下回ると、充電値４２からの直流電圧の供給が遮断され、その後は、アラーム基板４５とアラームマイコン４６による充電池４２の電力消費が回避される。よって、充電池４２が過放電状態となる事態を回避することができ、結果、充電池４２が劣化しあるいは充電不能状態となるのを阻止することができる。
【００６３】
本発明は、上記実施の形態に何ら限定されるものではなく、また、本発明の実施形態も、上記以外に種々の変更が可能である。
【００６４】
たとえば、上記実施の形態では、遮断回路４３を充電池４２と切替回路４４の間に配置したが、遮断回路４３は充電池４２とアラームマイコン４６の間のその他の位置に配置することも可能である。
【００６５】
図１１は、遮断回路４３を切替回路４４の直後に配置する場合の構成例である。この構成例においても、充電池４２の使用時に充電池４２からの直流電圧Ｖｂが閾値Ｖｓ１を下回ると、遮断回路４３によって、アラーム基板４５とアラームマイコン４６に対する給電が遮断される。よって、充電池４２が過放電状態となる事態を回避することができ、充電池４２が劣化しあるいは充電不能状態となるのを阻止することができる。
【００６６】
図１２は、遮断回路４３をアラームマイコン４６の直前に配置する場合の構成例である。この構成例では、充電池４２の使用時に充電池４２からの直流電圧Ｖｂが閾値Ｖｓ１を下回ると、遮断回路４３によって、アラームマイコン４６に対する給電が遮断される。この場合、充電池４２からの電力はアラーム基板４５に接続される。しかし、充電池４２からの直流電圧Ｖｂが閾値Ｖｓ１を下回ると、アラームマイコン４６に対する給電が遮断され、アラームマイコン４６がＯＦＦ状態となるため、その後、ブザー回路４５３が作動することはない。よって、この場合も、充電池４２が過放電状態となる事態を回避することができ、充電池４２が劣化しあるいは充電不能状態となるのを阻止することができる。
【００６７】
この他、本発明の実施形態は、特許請求の範囲にされた範囲において適宜変更可能である。
【図面の簡単な説明】
【００６８】
【図１】実施の形態に係るプロジェクタの外観構成を示す図（斜視図）
【図２】実施の形態に係るアダプタとアダプタの設置方法を説明する図
【図３】実施の形態に係るプロジェクタの使用形態を示す図
【図４】実施の形態に係るプロジェクタの使用形態を示す図
【図５】実施の形態に係るプロジェクタの内部構成を示す図（斜視）
【図６】実施の形態に係るプロジェクタの内部構成を示す図（上面図）
【図７】実施の形態に係るプロジェクタの回路構成を示す図
【図８】実施の形態に係る遮断回路と切替回路の回路構成を示す図
【図９】実施の形態に係るブザー回路の制御処理を示す図
【図１０】実施の形態に係るアラームマイコンとアラーム基板に対する直流電圧の供給動作を示す図
【図１１】実施の形態に係るプロジェクタの回路構成の変更例を示す図
【図１２】実施の形態に係るプロジェクタの回路構成の他の変更例を示す図
【符号の説明】
【００６９】
４１  …  充電回路
４２  …  充電池
４３  …  遮断回路
４４  …  切替回路
４５  …  アラーム基板
４６  …  アラームマイコン
４５２  …  ブザー
４５３  …  ブザー回路
４５４  …  振動センサ
【図１】
2010055394.tif 000003
【図２】
2010055394.tif 000004
【図３】
2010055394.tif 000005
【図４】
2010055394.tif 000006
【図５】
2010055394.tif 000007
【図６】
2010055394.tif 000008
【図７】
2010055394.tif 000009
【図８】
2010055394.tif 000010
【図９】
2010055394.tif 000011
【図１０】
2010055394.tif 000012
【図１１】
2010055394.tif 000013
【図１２】
2010055394.tif 000014